(57)【要約】【課題】コンバインの排稈カッターにおいては、カッター幅が広く、ローター軸を前後に移動させて長切り、短切りに切替える操作が行われ難く、しかもこの排稈切断長さに応じて、わらの排出幅域をも調整することが多く、煩雑で長時間の操作手数を要する。【解決手段】平行状で一対のローター軸１及びカッター軸２の下方に、切落とされるわらを受けて排出案内する排出案内板５を設けるコンバインの排稈カッターにおいて、ローター軸１を移動操作して排稈の切断長さを長切り位置Ｌに切替えるときは、排出案内板５を直下排出位置Ｄへ、短切り位置Ｍに切替えるときは、拡散排出位置Ｗへの案内姿勢に切替え可能に連動構成する。【選択図】図１
2017112887.tif 000002
【特許請求の範囲】
【請求項１】
相互に反対方向へ回転する平行状で一対のローター軸（１）及びカッター軸（２）に沿って、適宜間隔に掻込盤（３）と回転刃（４）を配置し、ローター軸（１）左右両側に設けるローター軸アーム（６）を前後方向に回動させて、これら両軸（１），（２）間の対向間隔を変えることにより、わらの切断長さを長切りと短切りとに切替可能に構成し、前記対向間隔部の下方には、切落されるわらを受けて排出案内する排出案内板（５）を設けるコンバインの排稈カッターにおいて、前記ローター軸（１）を移動操作して切断長さを長切り位置（Ｌ）に切替えるときは、前記排出案内板（５）を直下排出位置（Ｄ）への案内姿勢に切替え、短切り位置（Ｍ）に切替えるときは、前記排出案内板（５）を拡散排出位置（Ｗ）への案内姿勢に切替え可能に連動構成することを特徴とするコンバインの排稈カッター。
【請求項２】
前記ローター軸アーム（６）の回動による長切り位置（Ｌ）と短切り位置（Ｍ）との切替操作と、前記排出案内板５の直下排出位置（Ｄ）と拡散排出位置（Ｗ）との案内位置切替操作とを、ワイヤ（１７）又はリンク機構を介して連動可能に構成して、前記ローター軸アーム（６）を長切り位置（Ｌ）へ切替えることにより、排出案内板（５）が直下排出位置（Ｄ）になるよう連動し、又、ローター軸アーム（６）を短切り位置（Ｍ）へ切替えることにより、排出案内板（５）が拡散排出位置（Ｗ）になるよう連動することを特徴とする請求項１に記載のコンバインの排稈カッター。
【請求項３】
前記左右ローター軸アーム（６）が直下排出位置（Ｄ）と拡散排出位置（Ｗ）とに切替回動可能に装着されるカッターフレーム（８）の側壁部間に亘って、各ローター軸アーム（６）の先端部には、一定回動域に前後回動自在の回動プレート（７）と、この回動プレート（７）の回動によって前記カッターフレーム（８）に突出の係止ピン（９）に対する係合を外すように作動される係合具（１０）を設け、左右の各回動プレート（７）間は、前記カッターフレーム（８）間に亘って回動自在に支持させた連動ロッド（１１）を有した連動機構（１２）の両端部を連結して、左右いずれかの側の回動プレート（７）を回動してローター軸アーム（６）を切替可動することによって、これら左右ローター軸アーム（６）の各係合具（１０）と、左右ローター軸アーム（６）の回動とを同期連動可能に構成したことを特徴とする請求項１，又は２に記載のコンバインの排稈カッター。
【請求項４】
左右いずれか一方のローター軸アーム（６）近傍にモータ（１８）を設け、該モータ（１８）の駆動により回動プレート（７）を回動させるに、モータ（１８）を設けた側のカッターフレーム（８）に突設の係止ピン（９）に係合してローター軸アーム（６）の切替位置を固定乃至離脱する係合具（１０）として、この係止ピン（９）を受け止める係止面（１３）への案内口を広く開放した緩傾斜の案内面（１４）を形成の係止ストッパ（１５）を構成し、この回動プレート（７）の回動によって連動ロッド（１１）及び他側の回動プレート（７）を介して回動される他側の係合具（１０）には、係止ピン（９）に係合するＵ字状形態の係合フック（１６）を構成したことを特徴とする請求項３に記載のコンバインの排稈カッター。
【発明の詳細な説明】
【技術分野】
【０００１】
コンバインの脱穀装置で脱穀された排稈を切断しながら刈取跡の圃場面に排出するコンバインの排稈カッターに関し、長切り、短切りの切替操作と、拡散排出の切替操作を簡単化するものである。
【背景技術】
【０００２】
互に平行状に対向するローター軸とカッター軸との対向間隔を変えて排稈を長切りと短切りに切替えたり、又、前記ローター軸を軸装するローター軸アームに、この揺動切替位置を、カッタフレームに対して固定するための係合具を設ける等の技術（例えば、特許文献１参照）や、切断されるわらを拡散案内板で受けて、穂先側の刈取跡面へ広く拡散排出案内する技術は、既に周知である。
【先行技術文献】
【特許文献】
【０００３】
【特許文献１】特開平１０−３０４７６２号公報
【発明の概要】
【発明が解決しようとする課題】
【０００４】
コンバインの脱穀済排稈を短かく切断して排出させる排稈カッターにおいては、カッター幅が広いために、ローター軸を前後に移動させて、長切り、短切りに切替える切替操作が行われ難く、しかもこの排稈切断長さに応じて、わらの排出幅域（左右刈取幅方向の拡散域）をも調節することが多く、煩雑で長時間の操作手数を要する。
【課題を解決するための手段】
【０００５】
請求項１に記載の発明は、相互に反対方向へ回転する平行状で一対のローター軸１及びカッター軸２に沿って、適宜間隔に掻込盤３と回転刃４を配置し、ローター軸１左右両側に設けるローター軸アーム６を前後方向に回動させて、これら両軸１，２間の対向間隔を変えることによりわらの切断長さを長切りと短切りとに切替可能に構成し、前記対向間隔部の下方には、切落されるわらを受けて排出案内する排出案内板５を設けるコンバインの排稈カッターにおいて、前記ローター軸１を移動操作して切断長さを長切り位置Ｌに切替えるときは、前記排出案内板５を直下排出位置Ｄへの案内姿勢に切替え、短切り位置Ｍに切替えるときは、前記排出案内板５を拡散排出位置Ｗへの案内姿勢に切替え可能に連動構成することを特徴とするコンバインの排稈カッターの構成とする。
【０００６】
コンバインの脱穀された排稈を後方へ排送する排稈装置の下部に装着される排稈カッターは、この排稈装置から供給される排稈を前後一対のローター軸１及びカッター軸２間の回転される掻込盤３，及び回転刃４の対向間隔部に沿って送込まれて、この回転刃４の配置間隔に応じた所定の長さに切断されて、下方の排出案内板５上に排出される。この排出案内板５の排出案内姿勢によって、排出のわらを受けて直下の刈取幅域の刈取跡地面に直接排出落下させたり、一部のわらを穂先側地面に排出案内させて、拡散排出させることができる。
【０００７】
わらの切断長さを長くするときは、ローター軸１を前側へ移動させて、このローター軸１上に配置の掻込盤３、又は回転刃４と、カッター軸２上の回転刃４との交差回転によるわら切断位置の軸方向間隔を広くするように切替えて、長切り位置Ｌに切替設定して、切断作用を行わせる。又、排稈を短切り位置に切替えるときは、前記ローター軸１を後側へ移動させることによって、カッター軸２に配置された回転刃４との交差回転によるわら切断位置の軸方向間隔を狭くして、短切り位置Ｍ形態に設定することができる。
【０００８】
このようにローター軸１の掻込盤３や回転刃４の回転位置を、カッター軸２上の回転刃４の回転周縁部に交差させたり、離間させることによって、排稈の切断長さを長切り位置Ｌと、短切り位置Ｍとに切替えることができるが、この切替操作において、排出される切断わらの拡散排出形態をも直下排出位置Ｄと、拡散排出位置Ｗとに連動して切替えることができる。ローター軸１の前後回動と、排出案内板５の案内姿勢位置とを連動構成することによって、ローター軸１を長切り位置Ｌへ移動操作すると、連動機構を介して、排出案内板５が直下排出位置Ｄへ作動されて、切断部で長切りされたわらは、刈取幅跡、乃至左右クローラの走行幅跡の面に排出落下される。又、ローター軸１を短切り位置Ｍへ移動すると、連動機構を介して、排出案内板５が拡散排出位置Ｗへ作動されて、切断部で短切りされたわらは、刈取幅よりも穂先寄り位置の地面へも拡散排出されて、幅広く、薄層に散布される。又、これらカッターの切断長さの切替えと、排出案内板５の排出姿勢切替えとを各別に独立的に行わせたり、上記連動を停止するときは、これら切替操作連動の連動機構を取外したり、連動を解除することによって行う。
【０００９】
請求項２に記載の発明は、前記ローター軸アーム６の回動による長切り位置Ｌと短切り位置Ｍとの切替操作と、前記排出案内板５の直下排出位置Ｄと拡散排出位置Ｗとの案内位置切替操作とをワイヤー１７又はリンク機構を介して連動可能に構成して、前記ローター軸アーム６を長切り位置Ｌへ切替えることにより、排出案内板５が直下排出位置Ｄになるよう連動され、又、ローター軸アーム６を短切り位置Ｍへ切替えることにより、排出案内板５が拡散排出位置Ｗになるよう連動する。
【００１０】
前記ローター軸１を前後に切替移動するためのローター軸アーム６と、この切断部の下方位置に設置される排出案内板５との間に亘って、ワイヤー１７又は、このワイヤ１７に代わるリンク機構等で連結して設けるものであるから、前記ローター軸アーム６を前側へ回動移動させて、後側のカッター軸２の回転刃４の回転切断縁から間隔を広く開くことによって、切断長さを長くする長切り位置に切替えると共に、このローター軸アーム６に連結のワイヤー１７を介して下方部の排出案内板５の傾斜案内角度を急傾斜にするように連動する。長切り位置Ｌにして切断部から落下排出されるわらは、急傾斜の排出案内板５上面を案内されて、穂先側への拡散排出は少く制限されて、排出案内板５直下の刈取跡幅の地面に排出される。又、ローター軸アーム６を後側のカッター軸２側へ回動移動して、短切り位置Ｍへ切替えると、ワイヤー１７を介して排出案内板５の流下案内角度を緩傾斜に戻して、上面に受けたわらが拡散軸２３上で回転するラセン２１等の作用を受けて、穂先寄り側へ流れ易くなり、刈取幅の穂先寄り側への拡散排出量が多くなる。
【００１１】
請求項３に記載の発明は、前記左右ローター軸アーム６が直下排出位置Ｄと拡散排出位置Ｗとに切替回動可能に装着されるカッターフレーム８の側部間に亘って、各ローター軸アーム６の先端部には、一定回動域に前後回動自在の回動プレート７と、この回動プレート７の回動によって前記カッターフレーム８に突出の係止ピン９に対する係合を外すように作動される係合具１０を設け、左右の各回動プレート７間は、前記カッターフレーム８間に亘って回動自在に支持させた連動ロッド１１を有した連動機構１２の両端部を連結して、左右いずれかの側の回動プレート７を回動してローター軸アーム６を切替可動することによって、これら左右ローター軸アーム６の各係合具１０と、左右ローター軸アーム６の回動とを同期連動可能に構成する。
【００１２】
前記カッターのわら切断長さを切替変更するときは、左右いずれか一側の回動プレート７を前、後に回動操作することによって、連動機構１２を介して対向側の回動プレート７を連動回動させて、係合具１０の係止ピン９に対する係合、離脱、及び各ローター軸アーム６の切替回動等を行わせることができる。このような連動機構１２による連動には、左右の回動プレート７の間にカッターフレーム８に軸支される連動ロッド１１が構成されるため、連動機構１２の連動に捩り等による歪み誤差を生じ難く、左右の回動プレート７の同期回動を正確に行わせる。又、この回動プレート７の回動による係合具１０の係止ピン９に対する係合、離脱等を正確に行わせ、更にこの回動プレート７が一定角度回動されると、ローター軸アーム６を係合一体化して、切替回動を行わせることができる。
【００１３】
請求項４に記載の発明は、左右いずれか一方のローター軸アーム６近傍にモータ１８を設け、該モータ１８の駆動により回動プレート７を回動させるに、モータ１８を設けた側のカッターフレーム８に突設の係止ピン９に係合してローター軸アーム６の切替位置を固定乃至離脱する係合具１０として、この係止ピン９を受け止める係止面１３への案内口を広く開放した緩傾斜の案内面１４を形成の係止ストッパ１５を構成し、この回動プレート７の回動によって連動ロッド１１及び他側の回動プレート７を介して回動される他側の係合具１０には、係止ピン９に係合するＵ字状形態の係合フック１６を構成する。
【００１４】
モータ１８で左側のローター軸アーム６の回動プレート７を回動すると、これと同時に連動機構１２を介して右側のローター軸アーム６の回動プレート７が回動して、これら左右の回動プレート７の回動によって、係合具１０の係止ピン９に対する係合状態と離脱状態とが切替えられる。ローター軸アーム６の短切り位置Ｍは、これら左右両側部の係合具１０の係止面１３と、係合フック１６がカッターフレーム８側に突出の係止ピン９に係合して、ローター軸１の回転位置を正確に安定維持しうる状態にあるが、モータ１８の駆動によって、ローター軸アーム６を長切り位置Ｌへ切替えるときは、これら係止ピン９に係合、係止している係合具１０が同期回動されて、モータ１８駆動に近い側、左側の回動プレート７の係合具１０の係止面１３は、常時係止ピン９との係止を外し易い姿勢に維持しており、これら対向する右側の回動プレート７の係合具１０の係合フック１６は、係止ピン９がＵ字状の係合部から外れるように回動されて、左右の係合具１０共に、係止ピン９との係合を外して、続いて行われるローター軸アーム６が回動されて、これらのローター軸アーム６に軸受されたローター軸１は、後側のカッター軸２に対して前側へ移動されて、長切り位置Ｌへ切替えられる。この長切り位置Ｌの係合具１０は、係止ピン９からの係合を外したままの状態になる。
【発明の効果】
【００１５】
請求項１に記載の発明は、排稈カッターにおける長切り位置Ｌと短切り位置Ｍとの切替と、この切断部から排出されるわらを受けて排出案内する排出案内板５を略直下排出位置Ｄと拡散排出位置Ｗとに切替えて排出案内させる排出案内板５の案内位置切替とを連動することによって、これらの切替操作を短時間で速やかに、的確に行わせることができ、誤操作を少くすることができる。
【００１６】
請求項２に記載の発明は、ローター軸１を軸装するローター軸アーム６と、排出案内板５との間に亘ってワイヤー１７連動機構を介して連結するものであるから、これらの切替操作のためにワイヤー１７や、リンク機構等の連動機構を設ける形態では、カッターフレーム８におけるローター軸１と、下方の排出案内板５の設置位置との間隔が近く接近した関係位置にあって、連動構成を簡単にすることができ、円滑で的確な連動を維持することができる。
【００１７】
請求項３に記載の発明は、カッターフレーム８の左右両側部に位置して、ローター軸１の両端部を軸受けして、前後方向へ回動揺動するローター軸アーム６及びこのローター軸アーム６の先端部に枢着される回動プレート７の間に亘って連動される連動機構１２には、両端部をカッターフレーム６の両側部に軸受けさせた連動ロッド１１を構成するものであるから、前記回動プレート７相互間の連動はもとより、この連動に伴う係合具１０の係止ピン９に対する係合、離脱作用、及びローター軸アーム６の切替回動作用等を同期して、正確に、円滑に行わせることができる。又、排稈カッターは稈身方向に亘って幅広い形態であるが、ローター軸アーム６の長切り位置Ｌ、短切り位置Ｍの切替操作は、排稈カッターの一側位置においてのみ行うことができ、作業能率を高めることができる。
【００１８】
請求項４に記載の発明は、前記のようにローター軸アーム６をモータ１８の駆動で前後に回動移動させて排稈の切断長さを長切り位置Ｌと短切り位置Ｍとに切替えるときは、前記モータ１８によって駆動される回動プレート７と、その回動プレート７によって回動される左側のローター軸アーム６の係合具１０は、係止ピン９に対して係合接近する場合の案内面１４を形成して、この係止ピン９に的確に係合し易く維持できるが、係止面１３の周面部は広く開放されており、フックのような引っ掛部を形成しないため、モータ１８の負荷を軽減することができ、モータ１８の出力形態を小径化し、かつ、このモータ１８を用いたわら切断長さ切替えの操作機構を簡潔的構成とすることができる。
【図面の簡単な説明】
【００１９】
【図１】排稈カッターの長切り状態を示す背面図及びその左右側面図。
【図２】排稈カッターの短切り状態を示す背面図及びその左右側面図。
【図３】ローター軸アーム部を示す斜視図。
【図４】ローター軸アームの係合具部を示す斜視図。
【図５】ローター軸アームの回動プレート部を示す正面図及び側面図。
【図６】長切り位置時のカッターの左右側面図と排出案内板部の一部側面図。
【図７】短切り位置時のカッターの左右側面図と排出案内板部の一部側面図。
【図８】コンバインの一部平面図。
【発明を実施するための形態】
【００２０】
図面に基づいて、コンバインの脱穀装置３０の後側部には、この脱穀室３１内で回転する扱胴３２によって脱穀された脱穀排稈を受けて後方へ排送する排稈装置３３を、排稈室３４内に構成している。この排稈装置３３は、脱穀室３１の搬送口３５に沿って設けられるフィードチェーン３６によって挟持搬送された排稈の株元部側と穂先寄り側との二個所を、排稈チェーン３７で挟持して、稈長方向を略水平状態にして、排稈室３４の前端位置から、後側穂先寄り位置へ向けてやや斜め後方に向けて搬送することができる。この排稈室３４の後端部に、排稈カッター１９を着脱可能に装着して、排稈装置３３によって排出搬送される水平姿勢の排稈を、前後のローター軸１とカッター軸２間の切断部に受けて切断処理する。
【００２１】
前記排稈カッター１９は、横幅を排稈の稈長よりも長く形成した箱形状形態のカッターフレーム８を構成し、左右両側壁部間に、ローター軸２の軸端部を軸受けして、脱穀装置３０側の一部の回転軸からベルト掛け連動して回転する。又、このカッターフレーム８のカッター室２０内側には、左右一対のローター軸アーム６を前後回動可能に設けて、このローター軸アーム６間に亘って、前記ローター軸１と平行のカッター軸２の両端部を軸受けして、これらローター軸１及びカッター軸２に所定間隔に掻込盤３や、回転刃４を配置して、互いに反対方向へ回転させて、上側の排稈装置３３から供給される排稈わらを受けて短かく切断する。
【００２２】
カッターフレーム８のカッタ室２０の下側には、カッター室２０から切断されて落下されるわらを受けて排出案内する排出案内板５や、ラセン２１，及び拡散板２２を配置した拡散軸２３の左右両側端を、左右両側壁部間に亘って軸受けして構成する排出室２４を形成し、この排出室２４の下側、及び後側部は開放形態として、拡散軸２３の回転によって後側、乃至穂先側寄り後側へ掻き飛ばされるわらを拡散案内する案内カバー２５及び案内板２５ａを設けている。
【００２３】
前記カッター軸２の前側上部にローター軸１が設けられて、左右両側部のローター軸アーム６間に亘ってローター軸１の両側端部が軸受けされている。これらローター軸１及びカッター軸２には、回転外周縁に排稈を掻込むスターホイル型の掻込盤縁を形成した掻込盤３と、回転外周縁に排稈を切断する鋸刃状の刃縁を形成した回転刃４とを所定の間隔に配置し、これらローター軸１及びカッター軸２の上側部を掻込側へ向けて回転させるように連動構成している。掻込盤３はローター軸１又はカッター軸２に配置の適宜位置の回転刃４の回転側面に接近させて設け、一体回転することによって、上側の供給部２６に送込まれた排稈を切断部に掻込んで、回転刃４配置毎の長さ間隔に切断させる。
【００２４】
このようなローター軸１及びカッター軸２上で回転する回転刃４には、例えば、３枚間隔毎に大径の切断盤４１が形成されていて、この大径切断盤のみが交差回転する状態では、排稈の切断長さを長くする長切り位置Ｌとし、全て切断盤４が交差回転状態では、排稈の切断長さを各回転刃４間隔毎に短かくする短切り位置Ｍとする。前記ローター軸１を軸装するローター軸アーム６は、下端部をカッターフレーム８の側壁部に対して支持軸２７周りに前後回動可能に枢支し、この左側（排稈の株元側）ローター軸アーム６の上端部には、ギヤドモータ１８によって前後回動されるモータアーム２８や、リンク２９等からなるリンク機構を連結して、左右のローター軸アーム６を前後に回動することができ、前側位置に回動したときは、ローター軸１は長切り位置Ｌとなり、後側位置へ回動したときは短切り位置Ｍとなる。
【００２５】
排出室２４に軸架される拡散軸２３には、カッター幅の中央位置から左側（排稈の株元部）寄り位置に拡散板２２や、掻出アーム４２を配置し、右側（排稈の穂先部）より位置には、わらを穂先側へ横送りするラセン２１や、拡散板２２等を配置して、上側のカッター室２０から切り落とされるわらを受け、直接下方のカッター幅域位置に排出したり、又は排出案内板５の作用によって拡散軸２３中央部のラセン２１回転域部に案内されるわらを、カッタ幅よりも穂先側外側域へ広く拡散させて排出させることができる。
【００２６】
前記拡散軸２３の下側には、前側上部位置から下側部に向けて後方下り傾斜面の案内板４３を設け、この案内板４３の下端部に、横方向に沿う案内板軸４４周りに上下回動可能の排出案内板５を設け、この排出案内板５の後端下りの傾斜角を緩、急に切替えることができ、傾斜面の緩勾配にすると、排出案内板５上面のわら溜りをよくして、ラセン２１や拡散板２２、案内板２５ａ等によるわらの穂先側寄拡散、乃至掻出作用を強くして、拡散排出位置Ｗ姿勢となる。又、排出案内板５の傾斜面を急勾配にすると、排出案内板５上面のわら溜りが少くなり、わらは速かに下方へ落下排出されて、穂先側への拡散排出されるわら量を少くすると共に、カッター幅（乃至クローラ３９のトレッド幅）と略同幅の直下排出位置Ｄに排出することができる。
【００２７】
前記カッターフレーム８の右側（穂先側）端部には、脱穀フレームに対して着脱する着脱フック４５を有し、排稈カッター１９は、この着脱フック４５の周りに後方開き回動することができる。又、この排稈カッター１９の伝動は、カッター軸２の左側端部の入力プーリ４６をベルト掛け連動することによってローター軸１や拡散軸２３を伝動回転することができる。カッターフレーム８の後側上部には、上下回動して、排稈装置３３によって後方へ搬送する排稈を排稈カッター１９の供給部２６へ案内する切替板６１を設けて、カッター作業時には上方へ回動して排稈装置３３により搬送される排稈を供給部２６へ案内するが、排稈カッター１９を使用しないで、ドロッパー等を装着して、排稈を未切断のまま圃場面に排出するときは、切替板６１を下動させて、排稈装置３３による排稈搬送を後端位置からドロッパー（図面省略）上へ排出させるように行わせる。前記モータ１８によって前後に切替回動されるローター軸アーム６の下端部は、支持軸２７によってカッターフレーム８に対して軸支されるが、このカッターフレーム８の左右側壁部には、前記ローター軸１の左右両端部を嵌合させて、カッター軸２に対する交差移動（短切り位置Ｍへの切替移動）や、離間移動（長切り位置Ｌへの切替移動）を案内する長穴４０を形成している。
【００２８】
このようなローター軸アーム６の前後回動によるわら切断長さの切替えと、排出案内板５の傾斜角切替による切断わらの排出位置の切替えとを連動して行わせる形態として、前記ローター軸アーム６の下端部と、排出案内板５との間をワイヤー１７やリンク機構等の連動機構を介して連結して、モータ１８の駆動でモータアーム２８、リンク２９を介してローター軸アーム６を前側へ回動移動させると、ローター軸１は長切り位置Ｌとなり、下端部の支持軸２７及びこれと一体の切替アーム４７を一体回動して、この切替アーム４７に連結しているワイヤー１７を引いて、前記拡散軸２３側へ回動上昇して略水平状態に後方へ突出する姿勢の排出案内板５を、案内板軸４４周りに下方へ回動して、この排出案内板５の上面を後端下りの勾配に急傾斜させて直下排出位置Ｄとし、この排出案内板５上面の切断わらを速かに落下させることができる。又、前記モータ１８の駆動によって、ローター軸アーム６を後側のカッタ軸２側へ回動させて、短切り位置Ｍへ切替えると、前記ワイヤー１７の引きを緩めて、排出案内板５を、後下り傾斜姿勢から水平状態に戻して拡散排出位置Ｗに切替える。この排出案内板５の拡散排出位置Ｗへの回動復帰には、案内板軸４４周りに設けるスプリング力によって回動させる形態とすることもできる。
【００２９】
ここにおいて、相互に反対方向へ回転する平行状で一対のローター軸１及びカッター軸２に沿って、適宜間隔に掻込盤３と回転刃４を配置し、ローター軸１左右両側に設けるローター軸アーム６を前後方向に回動させて、これら両軸１，２間の対向間隔を変えることにより、わらの切断長さを長切りと短切りとに切替可能に構成し、前記対向間隔部の下方には、切落されるわらを受けて排出案内する排出案内板５を設けるコンバインの排稈カッターにおいて、前記ローター軸１を移動操作して切断長さを長切り位置Ｌに切替えるときは、前記排出案内板５を直下排出位置Ｄへの案内姿勢に切替え、短切り位置Ｍに切替えるときは、前記排出案内板５を拡散排出位置Ｗへの案内姿勢に切替え可能に連動構成することを特徴とするコンバインの排稈カッターの構成とする。
【００３０】
コンバインの脱穀された排稈を後方へ排送する排稈装置の下部に装着される排稈カッターは、この排稈装置から供給される排稈を前後一対のローター軸１及びカッター軸２間の回転される掻込盤３，及び回転刃４の対向間隔部に沿って送込まれて、この回転刃４の配置間隔に応じた所定の長さに切断されて、下方の排出案内板５上に排出される。この排出案内板５の排出案内姿勢によって、排出のわらを受けて直下の刈取幅域の刈取跡地面に直接排出落下させたり、一部のわらを穂先側地面に排出案内させて、拡散排出させることができる。
【００３１】
わらの切断長さを長くするときは、ローター軸１を前側へ移動させて、このローター軸１上に配置の掻込盤３，又は回転刃４と、カッター軸２上の回転刃４との交差回転によるわら切断位置の軸方向間隔を広くするように切替えて、長切り位置Ｌに切替設定して、切断作用を行わせる。又、排稈を短切り位置に切替えるときは、前記ローター軸１を後側へ移動させることによって、カッター軸２に配置された回転刃４との交差回転によるわら切断位置の軸方向間隔を狭くして、短切り位置Ｍ形態に設定することができる。
【００３２】
このようにローター軸１の掻込盤３や回転刃４の回転位置を、カッター軸２上の回転刃４の回転周縁部と交差させたり、離間させることによって、排稈の切断長さを長切り位置Ｌと、短切り位置Ｍとに切替えることができるが、この切替操作において、排出される切断わらの拡散排出形態をも直下排出位置Ｄと、拡散排出位置Ｗとに連動して切替えることができる。ローター軸１の前後回動と、排出案内板５の案内姿勢位置とを連動構成することによって、ローター軸１を長切り位置Ｌへ移動操作すると、連動機構を介して、排出案内板５が直下排出位置Ｄへ作動されて、切断部で長切りされたわらは、刈取幅跡、乃至左右クローラの走行幅跡の面に排出落下される。又、ローター軸１を短切り位置Ｍへ移動すると、連動機構を介して、排出案内板５が拡散排出位置Ｗへ作動されて、切断部で短切りされたわらは、刈取幅よりも穂先寄り位置の地面へも拡散排出されて、幅広く、薄層に散布される。又、これらカッターの切断長さの切替えと、排出案内板５の排出姿勢切替えとを各別に独立的に行わせたり、上記連動を停止するときは、これら切替操作連動の連動機構を取外したり、連動を解除することによって行う。
【００３３】
又、前記ローター軸アーム６の回動による長切り位置Ｌと短切り位置Ｍとの切替操作と、前記排出案内板５の直下排出位置Ｄと拡散排出位置Ｗとの案内位置切替操作とをワイヤー１７又はリンク機構を介して連動可能に構成して、前記ローター軸アーム６を長切り位置Ｌへ切替えることにより、排出案内板５は直下排出位置Ｄになるよう連動され、又、ローター軸アーム６を短切り位置Ｍへ切替えることにより、排出案内板５を拡散排出位置Ｗになるよう連動する。
【００３４】
前記ローター軸１を前後に切替移動するためのローター軸アーム６と、この切断部の下方位置に設置される排出案内板５との間に亘って、ワイヤー１７又は、このワイヤ１７に代わるリンク機構等で連結して設けるものであるから、前記ローター軸アーム６を前側へ回動移動させて、後側のカッター軸２の回転刃４の回転切断縁からの間隔を広く開くことによって、切断長さを長くする長切り位置に切替えると共に、このローター軸アーム６に連結のワイヤー１７を介して下方部の排出案内板５の傾斜案内角度を急傾斜にするように連動する。長切り位置Ｌにして切断部から落下排出されるわらは、急傾斜の案内板５上面を案内されて、穂先側への拡散排出は少く制限されて、排出案内板５直下の刈取跡幅の地面に集中排出される。又、ローター軸アーム６を後側のカッター軸２側へ回動移動して、短切り位置Ｍへ切替えると、ワイヤー１７を介して排出案内板５の流下案内角度を緩傾斜に戻して、上面に受けたわらが拡散軸２３上で回転するラセン２１等の作用を受けて、穂先寄り側へ流れ易くなり、刈取幅の穂先寄り側への拡散排出量が多くなる。
【００３５】
次に、主として図３〜図７に示すのは、ローター軸アーム６の上端部に、モータ１８によって回動される回動プレート７と、カッターフレーム８の係止ピン９に係合する係合具１０を設けたもので、左右いずれか片側のローター軸アーム６を、モータ１８によって駆動することによって、左右両側のローター軸アーム６を同期して、正確に長切り位置Ｌと短切り位置Ｍとに切替回動できるように構成する。
【００３６】
排稈カッター１９のカッターフレーム８に対するローター軸アーム６の支持構成は、左右一側（排稈株元側）のローター軸アーム６を、カッターフレーム８側壁の内側に位置させて、このカッターフレーム８の外側に回動プレート７を位置させる。又、これと反対側（穂先側）のローター軸アーム６は、カッターフレーム８の外側に位置させて、この先端部に回動可能の回動プレート７や係合具１０は、内側のカッター室２０内側に配置している。
【００３７】
モータ１８のモータアーム２８によって、リンク２９を介して回動プレート７下端部のピン４８に連結して、この回動プレート７を上端のプレート軸４９の周りに前後回動可能に設けて、このプレート軸４９の周りに上下回動する係合具１０を設ける（図３参照）。このような回動プレート７及び係合具１０の取付構成は、左右のローター軸アーム６の上端部において、略同様の形態に構成される。そして、左右各回動プレート７の上端縁には、係合具１０の上方の後側回動位置を係止して、係止ピン９の係合位置を保持する係合ストッパー５０を設け、又、プレート軸４９よりも前側には、回動プレート７から突設する係合ピン５１を設けて、この回動プレート７が適宜角度前後に回動することによって、係合ピン５１がローター軸アーム６の前縁部に係合して、回動プレート７をローター軸アーム６と一体的形態とすることができるように構成している。又、前記係合具１０のプレート軸４９周りの回動構成は、スプリング５２を設けて、係合具１０を常時上側の係合ストッパー５０側へ弾発させている。
【００３８】
前記株元側の回動プレート７は、ギヤドモータ１８の駆動によって回動されるが、穂先側のローター軸アーム６に設けた回動プレート７は、これら左右回動プレート７間を連結する連動機構１２を介して同期作動される。この連動機構１２の途中にはローター軸１と平行状の連動ロッド１１が構成されて、この連動ロッド１１の左右両端部をカッターフレーム８の左右側壁部に回動自在に軸受挿通させている。この連動ロッド１１の両端部には、クランクアーム５３を有して、各対向側の回動プレート７の下端部のピン４８との間をリンクロッド５４で連結して、一連の連動機構１２を構成している。このため、モータ１８側の回動プレート７をプレート軸４９周りに前、後回動するときは、連動ロッド１１が左右のカッターフレーム８側壁部間に亘って常時一定位置に回動可能に軸受けされて、ローター軸１とカッター軸２、及びローター軸アーム６の支持軸２７等と、平行形態に維持されているため、捻れ連動をなくして、左右両側部のローター軸アーム６の回動はもとより、各回動プレート７や、係合具１０の同期回動を円滑に、正確に行わせる。
【００３９】
このように連動ロッド１１を有する連動機構１２を介して連動される左右の各回動プレート７の前側回動によって、各ローター軸アーム６が支持軸２７周りに前側へ回動されると、カッターフレーム８に設定される長切り位置ストッパー５５に係止されて長切り位置Ｌを維持する。このようなローター軸アーム６の長切り位置ストッパー５５側への回動は、カッターフレーム８とローター軸アーム６との間に亘って掛け渡されたスプリング５６の引っ張力によって回動されて、ストッパー５５に押付けられているため、正確な位置に安定して維持される。又、前記回動プレート７を後側回動して、係合ピン５１をローター軸アーム６の前縁部に係合させて、このローター軸アーム６をスプリング５６の引っ張力に抗して、支持軸２７周りに後側へ回動すると、該回動プレート７のプレート軸４９周りの後側回動によって、係合具１０がスプリング５２によって上側回動されて、各対向の係止ピン９に係合することができ、この係合具１０が係止ピン９に係合した位置が、ローター軸１の短切り位置Ｍとして維持される。
【００４０】
前記係合具１０は、左右両側部共にピン係合部を深く形成するＵ字状形態のフック形態とすることも可能であるが、図面においては、モータ１８側の回動プレート７部に設けられる係合具１０は、単に係止ピン９を浅く係止する係止面１３と、この先端下側部に沿って傾斜案内面１４を形成して、これらの上側縁を開放する係止ストッパー１５の形態とし、これと対向する穂先側の回動プレート７部に設ける係合具１０は、係止ピン９を深く嵌合させて係合するＵ字状形態のフックを形成する係合フック１６の構成としている。このため、モータ１８の駆動によって左右の係合具１０を同期回動するとき、モータ１８側の係止具１０を同期回動するときの駆動抵抗を小さくすることができ、この係止ストッパー１５を円滑に回動させることによって、穂先側の回動プレート７や、係合フック１６等をも円滑に同期回動させることができる。
【００４１】
前記ギヤドモータ１８に、ウォームギヤ機構を内装する形態のものを使用すれば、モータ１８によって回動されたローター軸アーム６や、回動プレート７等の側からこのモータ１８のモータアーム２８が逆戻回動されるように働いても、ギヤドモータ１８内部のウォームギヤにより逆回転を阻止して、係止ストッパー１５や係合フック１６と、係止ピン９との係合位置（短切り位置）を緩めることはなく、正確な切替位置決め維持することができ、構成を簡単、簡潔化することができる。
【００４２】
ここにおいて、前記左右ローター軸アーム６が直下排出位置Ｄと拡散排出位置Ｗとに切替回動可能に装着されるカッターフレーム８の側部間に亘って、各ローター軸アーム６の先端部には、一定回動域に前後回動自在の回動プレート７と、この回動プレート７の回動によって前記カッターフレーム８に突出の係止ピン９に対する係合を外すように作動される係合具１０を設け、左右の各回動プレート７間は、前記カッターフレーム８間に亘って回動自在に支持させた連動ロッド１１を有した連動機構１２の両端部を連結して、左右いずれかの側の回動プレート７を回動してローター軸アーム６を切替可動することによって、これら左右ローター軸アーム６の各係合具１０と、左右ローター軸アーム６の回動とを同期連動可能に構成する。
【００４３】
前記カッターのわら切断長さを切替変更するときは、左右いずれか一側の回動プレート７を前、後に回動操作することによって、連動機構１２を介して対向側の回動プレート７を連動回動させて、係合具１０の係止ピン９に対する係合、離脱、及び各ローター軸アーム６の切替回動等を行わせることができる。このような連動機構１２による連動には、左右の回動プレート７の間にカッターフレーム８に軸支される連動ロッド１１が構成されるため、連動機構１２の連動に捩り等による歪み誤差を生じ難く、左右の回動プレート７の同期回動を正確に行わせる。又、この回動プレート７の回動による係合具１０の係止ピン９に対する係合、離脱等を正確に行わせ、更にこの回動プレート７が一定角度回動されると、ローター軸アーム６を係合一体化して、切替回動を行わせることができる。
【００４４】
又、左右いずれか一方のローター軸アーム６近傍にモータ１８を設け、該モータ１８の駆動により回動プレート７を回動させるに、モータ１８を設けた側のカッターフレーム８に突設の係止ピン９に係合してローター軸アーム６の切替位置を固定乃至離脱する係合具１０として、この係止ピン９を受け止める係止面１３への案内口を広く開放した緩傾斜の案内面１４を形成の係止ストッパ１５を構成し、この回動プレート７の回動によって連動ロッド１１及び他側の回動プレート７を介して回動される他側の係合具１０には、係止ピン９に係合するＵ字状形態の係合フック１６を構成する。
【００４５】
モータ１８で左側のローター軸アーム６の回動プレート７を回動すると、これと同時に連動機構１２を介して右側のローター軸アーム６の回動プレート７が回動して、これら左右の回動プレート７の回動によって、係合具１０の係止ピン９に対する係合状態と離脱状態とが切替えられる。ローター軸アーム６の短切り位置Ｍは、これら左右両側部の係合具１０の係止面１３と、係合フック１６がカッターフレーム８側に突出の係止ピン９に係合して、ローター軸１の回転位置を正確に安定維持しうる状態にあるが、モータ１８の駆動によって、ローター軸アーム６を長切り位置Ｌへ切替えるときは、これら係止ピン９に係合、係止している係合具１０が同期回動されて、モータ１８駆動に近い側、左側の回動プレート７の係合具１０の係止面１３は、常時係止ピン９との係止を外し易い姿勢に維持しており、これら対向する右側の回動プレート７の係合具１０の係合フック１６は、係止ピン９がＵ字状の係合部から外れるように回動されて、左右の係合具１０共に、係止ピン９との係合を外して、続いて行われるローター軸アーム６が回動されて、これらのローター軸アーム６に軸受されたローター軸１は、後側のカッター軸２に対して前側へ移動されて、長切り位置Ｌへ切替えられる。この長切り位置Ｌの係合具１０は、係止ピン９からの係合を外したままの状態になる。
【符号の説明】
【００４６】
１    ローター軸
２    カッター軸
３    掻込盤
４    回転刃
５    排出案内板
６    ローター軸アーム
７    回動プレート
８    カッターフレーム
９    係止ピン
１０  係合具
１１  連動ロッド
１２  連動機構
１３  係止面
１４  案内面
１５  係止ストッパ
１６  係合フック
１７  ワイヤー
１８  モータ
Ｌ    長切り位置
Ｍ    短切り位置
Ｄ    直下排出位置
Ｗ    拡散排出位置
【図１】
2017112887.tif 000003
【図２】
2017112887.tif 000004
【図３】
2017112887.tif 000005
【図４】
2017112887.tif 000006
【図５】
2017112887.tif 000007
【図６】
2017112887.tif 000008
【図７】
2017112887.tif 000009
【図８】
2017112887.tif 000010